(57)【特許請求の範囲】
【請求項１】
雄ねじが挿入される貫通したねじ穴を有する構造体と、上記雄ねじの先端部が挿入された後その先端部に行き止まりの作用をさせるねじ挿入部及びこのねじ挿入部がその軸を中心にして回転するのを止める回転止め部を有し、上記ねじ挿入部が上記ねじ穴と同心で配置されると共に上記回転止め部が上記構造体に固定されたねじ進入阻止部材とを備え、上記ねじ進入阻止部材は、別体の部材で作製された上記ねじ挿入部と回転止め部とが固定されてなり、上記ねじ挿入部は、上記雄ねじに対応した雌ねじと上記雄ねじの進入を止める止まり穴とが形成されていることを特徴とするねじの誤挿入防止構造。
【請求項２】
ねじ進入阻止部材は、ねじ挿入部と回転止め部とが一体に構成されていることを特徴とする請求項１記載のねじの誤挿入防止構造。
【請求項３】
ねじ挿入部の雌ねじは、ねじ山を途中で変形させていることを特徴とする請求項１記載のねじの誤挿入防止構造。
【請求項４】
ねじ挿入部の雌ねじは、雄ねじのピッチとわずかに異なるピッチのねじが形成されていることを特徴とする請求項１記載のねじの誤挿入防止構造。
【請求項５】
セルフタッピングねじからなる雄ねじが挿入される貫通穴を有する構造体、上記貫通穴に対応して設けられ上記セルフタッピングねじ用下穴より小径の穴を有するねじ挿入部及び上記構造体に固定され、上記ねじ挿入部がその軸を中心にして回転するのを止める回転止め部を備えたことを特徴とするねじの誤挿入防止構造。
【請求項６】
回転止め部は、断面形状が略Ｚ字状に形成され、先端が構造体に差し込まれていることを特徴とする請求項１〜請求項５のいずれか一項記載のねじの誤挿入防止構造。
【請求項７】
回転止め部は、ねじ止めされていることを特徴とする請求項１〜請求項５のいずれか一項記載のねじの誤挿入防止構造。
【発明の詳細な説明】
【０００１】
【発明の属する技術分野】
この発明は、所定の長さより長いねじを誤って使ったとき、その進入を阻止するねじの誤挿入防止構造に関し、特にねじ進入阻止部材の小型化，軽量化に関するものである。
【０００２】
【従来の技術】
図７は従来のねじの誤挿入防止構造を示す断面図である。図７において、１は板金構造体（以下、筐体という。）、２は筐体１に設けられた雌ねじ、３は取り付け部品（以下、筐体１のカバーという。）、４はカバー３を筐体１に固定するねじである。５はねじ進入阻止部材で、筐体１に固定され、ねじ４の進入を阻止する部材である。
従来のねじの誤挿入防止構造は、上記のように構成されており、カバー３を筐体１に取り付ける際、誤って所定の長さより長いねじが使われた場合、ねじの先端がねじ進入阻止部材５に当接し、以後の挿入が阻止される。従って、ねじが長いため、ねじの先端が筐体内に固定された例えば電子部品に当たってその部品が損傷したり、壊れたりするのを防止することができる。
【０００３】
【発明が解決しようとする課題】
従来のねじの誤挿入防止構造では、ねじ進入阻止部材５に直接ネジの先端を当接させてネジの挿入を阻止するものであるから、ねじ４のリード角によって生じる軸方向に押す力が大きいため、ねじ進入阻止部材５を強固にする必要があった。従って、ねじ進入阻止部材を大きくしなければならず、電子機器の小型化，軽量化の障害となるという問題があった。
【０００４】
この発明は上記のような問題点を解決するためになされたもので、ねじの締めつけ時に作用する軸方向に押す力を、回転力に変えてねじの挿入を阻止することにより、ねじ進入阻止部材を小さくし、構造体全体の小形化，軽量化を可能にしたねじの誤挿入防止構造を得ることを目的とする。
【０００５】
【課題を解決するための手段】
この発明に係るねじの誤挿入防止構造は、雄ねじが挿入される貫通したねじ穴を有する構造体と、雄ねじの先端部が挿入された後その先端部に行き止まりの作用を及ぼすねじ挿入部及びこのねじ挿入部がその軸を中心にして回転するのを止める回転止め部を有し、ねじ挿入部がねじ穴と同心で配置されると共に回転止め部が構造体に固定されたねじ進入阻止部材とを備え、上記ねじ進入阻止部材は、別体の部材で作製された上記ねじ挿入部と回転止め部とが固定されてなり、ねじ挿入部は、上記雄ねじに対応した雌ねじと雄ねじの進入を止める止まり穴とが形成されているものである。
【０００７】
また、ねじ進入阻止部材は、ねじ挿入部と回転止め部とが一体に構成されているものである。
【０００８】
また、ねじ挿入部の雌ねじは、ねじ山を途中で変形させているものである。
【０００９】
さらに、ねじ挿入部の雌ねじは、雄ねじのピッチとわずかに異なるピッチのねじが形成されているものである。
【００１０】
さらにまた、セルフタッピングねじからなる雄ねじが挿入される貫通穴を有する構造体、上記貫通穴に対応して設けられ上記セルフタッピングねじ用下穴より小径の穴を有するねじ挿入部及び上記構造体に固定され、上記ねじ挿入部がその軸を中心にして回転するのを止める回転止め部を備えたものである。
【００１１】
また、回転止め部は、断面形状が略Ｚ字状に形成され、先端が構造体に差し込まれているものである。
【００１２】
さらに、回転止め部は、ねじ止めされているものである。
【００１３】
【発明の実施の形態】
実施の形態１．
図１はこの発明の実施の形態１によるねじの誤挿入防止構造を示す断面図である。図において、図７と同一符号を付した部分は同一部分を示している。５１はねじ進入阻止部材で、本体部５２、ねじ挿入部５３及び回転止め部５４からなっている。ねじ挿入部５３には、ねじ挿入用ガイド部６、ねじ４が挿入できる雌ねじ７及び止まり穴８が形成されている。このねじ挿入部５３は、本体部５２の一端部に固定されている。本体部５２の他端部は断面形状が略Ｚ字状に形成され回転止め部５４となっている。この回転止め部５４は、その先端が筐体１に設けた穴１１に差し込まれて固定されている。なお、ねじ進入阻止部材５１は、回転止め部５４を筐体１に差し込んだとき、雌ねじ７と雌ねじ２とが同心となるように各部の寸法を設定する。
【００１４】
次に、動作を説明する。筐体１にカバー３を固定する際、所定の長さより長いねじ４を使ったとする。すると、ねじ４は筐体１を貫通し、その後雌ねじ７にねじ込まれ先端が止まり穴８に到達する。即ち、止まり穴８はねじ４の先端部に行き止まりの作用を及ぼす。その時点でさらにねじ４を締めつけようとすると、ねじ４は進めないので、ねじ挿入部５３には締めつけに伴って回転力が作用する。しかし、回転止め部５４が筐体１に差し込まれているので回転できず、ねじ４はそれより先に進めない。従って、筐体１の内部に配置された部品等を保護することができる。
【００１５】
以上のように構成されたねじの誤挿入防止構造によれば、ねじの締めつけ時に作用する軸方向に押す力を、回転力に変えてねじの進入を阻止しているので、ねじ進入阻止部材５１は、従来例のように強度を必要とせず、小形にできる。
【００１６】
実施の形態２．
図２はこの発明の実施の形態２によるねじの誤挿入防止構造を示す断面図である。図において、図１と同一符号を付した部分は同一部分を示している。
この実施の形態２が前述の実施の形態１と異なる点は、実施の形態１ではねじ挿入部５３が単独の部品として製作され、本体部５２の一端部に固定されているのに対し、実施の形態２では、本体部５２、ねじ挿入部５３及び回転止め部５４が一体の部材として構成されている点である。
作用及び効果は実施の形態１と同じである。
【００１７】
実施の形態３．
図３はこの発明の実施の形態３によるねじの誤挿入防止構造を示す断面図である。図において、図１と同一符号を付した部分は同一部分を示している。
実施の形態３が、実施の形態１と異なる点は、ねじ挿入部５３の雌ねじ７と止まり穴８とを、雌ねじ部７のねじ山を途中で変形させた雌ねじ部７１に置き換えた点である。なお、ねじ挿入部５３が本体部５２と一体に形成されている点は実施の形態２と同じである。
この実施の形態３では、雌ねじ部７１が途中でねじ山が変形しているので、ねじ４は雌ねじ部７１の途中まで挿入されるが、ねじ山が変形した部分で回転が止まりそれ以上は進めなくなる。これは、実施の形態１においてねじ４の先端が止まり穴８に到達したのと同じ状態である。従って、以後の動作は、実施の形態１と同じとなり、同様の効果が得られる。
【００１８】
実施の形態４．
図４はこの発明の実施の形態４によるねじの誤挿入防止構造を示す断面図である。図において、図１と同一符号を付した部分は同一部分を示している。
実施の形態４が、実施の形態１と異なる点は、ねじ挿入部５３の雌ねじ７と止まり穴８とを、ねじ４のピッチとわずかに異なるピッチの雌ねじ７２に置き換えた点である。なお、ねじ挿入部５３が本体部５２と一体に形成されている点は実施の形態２と同じである。
この実施の形態４では、雌ねじ部７２のピッチとねじ４のピッチとがわずかにことなるので、雌ねじ部７２に挿入されたねじ４は始めは回転するが、そのうち回転できなくなりそれ以上は進めなくなる。これは、実施の形態１においてねじ４の先端が止まり穴８に到達したのと同じ状態である。従って、以後の動作は、実施の形態１と同じとなり、同様の効果が得られる。
【００１９】
実施の形態５．
図５はこの発明の実施の形態５によるねじの誤挿入防止構造を示す断面図である。図において、図１と同一符号を付した部分は同一部分を示している。
実施の形態５が、実施の形態１と異なる点は二つあり、一つは雄ねじ４の代わりにセルフタッピングねじ４１を使っている点である。なお、セルフタッピングねじは自身の回転により穴にねじ山を創生するねじである。もう一つは、ねじ挿入部５３の雌ねじ７と止まり穴８とを、セルフタッピングねじの本来の下穴より若干小径の穴７３に置き換えた点である。なお、ねじ挿入部５３が本体部５２と一体に形成されている点は実施の形態２と同じである。
【００２０】
この実施の形態５では、セルフタッピングねじ４１の先端部が穴７３に掛かりねじ穴を創生しようとする。しかし、穴７３の径が本来の下穴より若干小さいので、ねじ山創生に大きな力を必要とし、ある程度ねじ込まれた所で回転できなくなりそれ以上は進めなくなる。これは、実施の形態１においてねじ４の先端が止まり穴８に到達したのと同じ状態である。従って、以後の動作は、実施の形態１と同じとなり、同様の効果が得られる。
なお、図５において、２１はねじ穴である。このねじ穴２１は、セルフタッピングねじ４１がねじ込まれる前は、ねじは切られていないがこの状態も含めてねじ穴と呼ぶことにする。
【００２１】
実施の形態６．
図６はこの発明の実施の形態６によるねじの誤挿入防止構造を示す断面図である。図において、図１と同一符号を付した部分は同一部分を示している。
実施の形態６が、実施の形態１と異なる点は、回転止め部５４と筐体１とをねじ１３により固定した点である。
その他の構成は実施の形態１と同じであり、同様の効果を奏する。
【００２２】
なお、実施の形態３〜実施の形態５は、止まり穴８を必要としないので、雌ねじや下穴は貫通したものでよい。従って、ねじ挿入部５３は本体部５２と一体に形成した方が製作上有利である。
また、ねじ進入阻止部材５１の形状は、筐体１側の雌ねじ２の位置に応じて決めればよい。従って、実施の形態６のように本体部５２が短くなってもよく、本体部５２は無しで、ねじ挿入部５３と回転止め部５４とで構成してもよい。
さらに、実施の形態２〜実施の形態５において、回転止め部と筐体とをねじにより固定してもよい。なお、その場合回転止め部の形状は、図６に示すものと同様な形状にする。
また、筐体１は板金構造体であるが、プラスチック等による構造体であっても同様の効果が得られる。
【００２３】
【発明の効果】
この発明は以上説明したとおり、雄ねじが挿入される貫通したねじ穴を有する構造体と、雄ねじの先端部が挿入された後その先端部に行き止まりの作用を及ぼすねじ挿入部及びこのねじ挿入部がその軸を中心にして回転するのを止める回転止め部を有し、ねじ挿入部がねじ穴と同心で配置されると共に回転止め部が構造体に固定されたねじ進入阻止部材とからなるものであるから、ねじの進入を確実に阻止することができる。また、ねじ進入阻止部材を小形にすることが出来、構造体全体の小形化，軽量化に貢献するという効果がある。
【図面の簡単な説明】
【図１】  この発明の実施の形態１を示す断面図である。
【図２】  この発明の実施の形態２を示す断面図である。
【図３】  この発明の実施の形態３を示す断面図である。
【図４】  この発明の実施の形態４を示す断面図である。
【図５】  この発明の実施の形態５を示す断面図である。
【図６】  この発明の実施の形態６を示す断面図である。
【図７】  従来のねじの誤挿入防止構造を示す断面図である。
【符号の説明】
１  筐体、２  筐体の雌ねじ、３  カバー、４  ねじ、６  ガイド部、
７  ねじ挿入部の雌ねじ、８  止まり穴、５１  ねじ進入阻止部材、
５２  本体部、５３  ねじ挿入部、５４  回転止め部。
【図１】
0003974999.tif 000002
【図２】
0003974999.tif 000003
【図３】
0003974999.tif 000004
【図４】
0003974999.tif 000005
【図５】
0003974999.tif 000006
【図６】
0003974999.tif 000007
【図７】
0003974999.tif 000008